(57)【要約】【課題】スピーカ振動板などの発光対象を均一に発光させて高いイルミネーション効果が発現されるようなイルミネーション装置を提供する。【解決手段】スピーカユニット２の振動板４の前面に、ルミネセンスを発する物質を含む発光層５を形成する。又、振動板４の前面に対向して不織布から成る透光性フィルタ１１を設け、その透光性フィルタ１１と振動板４との間に発光層５を発光させるための光を放射する光源１５を配置する。そして、スピーカユニット２に与えられる入力信号に同調して光源１５に対する通電量を変化させ、光源１５から放射される光の強度、及びこれを受けて発光する発光層５の輝度を変化させる。【選択図】図１
2008141446.tif 000002
【特許請求の範囲】
【請求項１】
ルミネセンスを発する物質を含む発光層を前面に形成した背面板と、該背面板の前面に対向して設けられる透光性フィルタと、前記背面板と透光性フィルタとの間に設けられて前記発光層を発光させるための光を放射する光源と、該光源から放射される光の強度を変化させる調光手段と、を有して成ることを特徴とするイルミネーション装置。
【請求項２】
ルミネセンスを発する物質が蛍光体又は／及び燐光体である請求項１記載のイルミネーション装置。
【請求項３】
前記背面板が通気性を有してスピーカユニットの振動板の前面側に配置されることを特徴とする請求項１、又は２記載のイルミネーション装置。
【請求項４】
前記背面板がスピーカユニットの振動板である請求項１、又は２記載のイルミネーション装置。
【請求項５】
調光手段は、スピーカユニットに与えられる入力信号に同調して光源に対する通電量を変化させるものである請求項３、又は４記載のイルミネーション装置。
【請求項６】
光源が紫外線を放射する紫外線発光ダイオードである請求項１〜５のいずれかに記載のイルミネーション装置。
【請求項７】
透光性フィルタが不織布で成り、該不織布がそれよりも粗目の多孔板に付設されている請求項１〜６のいずれかに記載のイルミネーション装置。
【請求項８】
発光層の形成領域に図柄が施されている請求項１〜７のいずれかに記載のイルミネーション装置。
【発明の詳細な説明】
【技術分野】
【０００１】
本発明は、発光輝度が変化するイルミネーション装置に係わり、特に定置式や可搬式のスピーカシステムに適用して好適なイルミネーション装置に関する。
【背景技術】
【０００２】
スピーカシステムは、磁気回路や振動板などを一体的に組み合わせたスピーカユニットと、そのユニットを保持するスピーカキャビネット（エンクロージャ）とにより構成されるが、携帯電話機や携帯型オーディオ機器などに付随するスピーカでは、機器本体の筐体がキャビネットとして利用される。
【０００３】
しかし、一般に普及しているスピーカの多くは磁気回路により振動板を振動させて電気信号を音響信号に変換するだけで、視覚的な演出効果を発現するものでない。
【０００４】
そこで、スピーカ振動板の表面部位を光反射素材で形成すると共に、その外縁部に複数の光源を間隙をあけて設けた構成のスピーカが提案されている（例えば、特許文献１）。
【０００５】
又、振動板を半透光性薄膜を有する透明物質により形成すると共に、該振動板の背部に光源を設けた構成のスピーカが提案されている（例えば、特許文献２）。
【０００６】
【特許文献１】実用新案登録第３０９５２９２号公報
【０００７】
【特許文献２】実公昭６３−３３４１４号号公報
【発明の開示】
【発明が解決しようとする課題】
【０００８】
しかしながら、特許文献１、２のいずれもスピーカでありながら光源の点灯によって視覚的な演出効果（イルミネーション効果）を発現させることができるものの、特許文献１のように光源の光を反射させるものでは、高輝度光源が用いられたとき振動板からの反射光を直接目に受けて眩惑し、これを防止するため低輝度光源を用いるとイルミネーション効果が低減してしまう。
【０００９】
一方、特許文献２のような直接照明方式では、光源の配置位置によって振動板が不均一に発光して体裁を損なってしまう上、振動板の材料選択も大きな制約を受けてしまうという問題がある。
【００１０】
本発明は以上のような事情に鑑みて成されたものであり、その目的はカラオケ用のスピーカシステムなどに適用し、光源の配置位置などに拘わらずスピーカ振動板などの発光対象を均一に発光させて高いイルミネーション効果が発現されるようなイルミネーション装置を提供することにある。
【課題を解決するための手段】
【００１１】
上記の目的を達成するため、本発明に係るイルミネーション装置は、ルミネセンスを発する物質を含む発光層を前面に形成した背面板と、該背面板の前面に対向して設けられる透光性フィルタと、前記背面板と透光性フィルタとの間に設けられて前記発光層を発光させるための光を放射する光源と、該光源から放射される光の強度を変化させる調光手段と、を有して成ることを特徴とする。
【００１２】
加えて、ルミネセンスを発する物質が蛍光体又は／及び燐光体であり、好ましくは前記背面板が通気性を有してスピーカユニットの振動板の前面側に配置されるか、若しくは前記背面板がスピーカユニットの振動板で、調光手段は、スピーカユニットに与えられる入力信号に同調して光源に対する通電量を変化させるものであり、光源が紫外線を放射する紫外線発光ダイオードであることを特徴とする。
【００１３】
又、透光性フィルタが不織布で成り、該不織布がそれよりも粗目の多孔板に付設され、更に発光層の形成領域に図柄が施されていることを特徴とする。
【発明の効果】
【００１４】
本発明に係るイルミネーション装置では、光源から発せられた光を受けて発光層がルミネセンス（蛍光／燐光）を発するようにしていることから、発光層を均一に発光させることができ、しかも光源を挟んで発光層に対向する透光性フィルタが設けられることから、発光部分を直視しても眩惑せず、更には光源から放射される光の強度を変化させる調光手段を備えることから優美なイルミネーション効果が発現される。
【００１５】
加えて、発光層を形成する背面板が通気性を有してスピーカユニットの振動板の前面側に配置されるか、若しくは発光層を形成する背面板がスピーカユニットの振動板とされることから、音と光による演出を同時に味わうことができ、しかも調光手段がスピーカユニットに与えられる入力信号に同調して光源に対する通電量を変化させるものであるから、イルミネーション効果をより一層高めることができる。
【００１６】
又、光源が紫外線を放射する紫外線発光ダイオードとされることから、小型の光源にして多量の紫外線を発光層に浴びせて該発光層を高輝度で発光させることができる。
【００１７】
更に、透光性フィルタが不織布で成ることから、光源を外部から遮蔽して体裁を損なわず、スピーカユニットからの音波も損失なく透過させることができ、しかも該不織布がそれよりも粗目の多孔板に付設されるのでこれが外力を受けて破損することを防止できる。
【００１８】
又、発光層の形成領域に図柄が施されていることから、これを発光層上に浮かび上がった状態にあらわすことができる。
【発明を実施するための最良の形態】
【００１９】
以下、図面に基づいて本発明に係るイルミネーション装置の具体的な構成例を詳しく説明する。図１は、係るイルミネーション装置Ａをスピーカシステムに適用した例を示す斜視分解図である。
【００２０】
図１において、１はスピーカキャビネットであり、そのフロントパネル１Ａ（バッフル板）には、２ウェイ構成として２つのスピーカユニット２（例えばウーファ）およびスピーカユニット３（例えばトゥイータ）が取り付けられる。このうち、スピーカユニット２の振動板４はイルミネーション装置Ａの主要部を成す背面板とされ、その前面（キャビネット１の外側にあらわれる表面）には発光層５が全面的に形成される。尚、キャビネット１のフロントパネル１Ａを背面板とし、その前面に発光層５を形成してもよい。
【００２１】
発光層５は、ルミネセンス（蛍光／燐光）を発する物質を含んだ塗料を塗布（印刷又は染料にして染色でも可）して成る塗膜であり、ルミネセンスを発する物質には蛍光体か燐光体、もしくはその双方（蛍りん光体）が用いられる。蛍光体としては、蛍石、ベンゼン、アニリン、鉛ガラス、シアン化白金、硫酸キニーネなどが挙げられ、燐光体としては、亜鉛、ストロンチウム、バリウム、カルシウム、アルミニウム、ならびにイットリウムといった金属の硫化物もしくは酸化物、フルオレセインやローダミンなどの有機色素が挙げられる。尚、発光層５を形成する塗料には、上記のような物質ほか、発光時間を長くするためにラジウムやトリチウムなどの微量の放射性物質などから成る活性化剤が添加される。又、係る塗料にトルマリンの粒子を混合してマイナスイオンが放射されるようにしたり、光の拡散を目的に発光層５に凹凸を形成したりするなどしてもよい。
【００２２】
又、図１において、６はキャビネット１の前面側に装着されるカバーパネルで、このカバーパネル６には、スピーカユニット２，３に対応してそれぞれ硬質の多孔板７，８（グリル）が取り付けられ、それら多孔板７，８によりスピーカユニット２，３による音波の外部放射を損なわずしてスピーカユニット２，３を保護できるようにしてある。本例において、多孔板７，８は金属製のパンチング板であるが、これに柔軟なネットを用いることもできる。尚、９はキャビネット１のフロントパネル１Ａに設けられるダクト１０に対応する開口部である。
【００２３】
ここで、スピーカユニット２に対向する多孔板７の裏面には、これと同形の透光性フィルタ１１が全面的に付設、貼付される。係る透光性フィルタ１１は、光透過性および通気性を有する薄膜であり、該透光性フィルタ１１としては、多孔板７に形成される孔よりも目が細かく、しかも半透明で、音波を抵抗なく透過させ得る部材が用いられる。特に、本例では係る透光性フィルタ１１として、ポリエステル、ポリウレタン、アクリル、ナイロン、ポリプロピレン、及び綿などの薄手の不織布が用いられる。
【００２４】
又、カバーパネル６の裏面には、多孔板７の中心部を横切る状態で棒状の支持部材１２が架設され、その支持部材１２により、スピーカユニット２の振動板４と透光性フィルタ１１との間でランプユニット１３が保持される構成としてある。尚、支持部材１２はカバーパネル６に固定されるが、これを回転自在に設けるようにしてもよく、これによれば発光層５に対する光の照射方向を適宜変更することが可能となる。
【００２５】
又、ランプユニット１３は、支持部材１２に固定される基台１４に複数の光源１５を取り付けたものであり、その各光源１５より発せられた光が振動板４の中心から外周に向かって放射状に広がるようになっている。尚、光源１５を透光性フィルタ１１の外周部でカバーパネル６に取り付けたり、振動板４の外周部でキャビネット１に取り付けたりしてもよい。
【００２６】
光源１５は例えば点光源としての発光ダイオード（ＬＥＤ）、それも赤、青、緑、黄などの可視光ほか、発光層５の蛍光体／燐光体を励起する波長３６０〜４００ｎｍの紫外線を多く放射する紫外線ＬＥＤが用いられる。尚、その種のＬＥＤとしては、ｐｎ接合された窒化ガリウム（ＧａＮ）系光半導体の結晶を発光素子として用いたものが挙げられる。
【００２７】
次に、図２は本発明に係る装置の要部断面を示す。図２において、１６はリング状のプレート、１７はプレート１６の背面側に装着されるマグネットであり、このマグネット１７の背面側にはヨーク１８が固着され、ヨーク１８の中心部にはポールピース１９が固着される。ポールピース１９とプレート１６との間のギャップにはボビン２０が設けられ、その外周にボイスコイル２１が巻装されている。
【００２８】
一方、プレート１６の前面側にはフレーム２２が取り付けられると共に、そのフレーム２２にはボビン２０を支持するダンパ２３が設けられる。そして、ボビン２０に振動板４が取り付けられ、そのエッジがフレーム２２の開口縁にガスケット２４にて固定されている。尚、振動板４はボビン２０の開口部を塞ぐセンタキャップ４Ａを備え、係るセンタキャップ４Ａの前面にも発光層５が形成されている。
【００２９】
ここで、以上のように構成されるイルミネーション装置Ａ（スピーカシステム）の作用を説明すれば、光源１５を駆動（点灯）させると、その放射光（紫外線）により発光層５の蛍光体／燐光体が励起されて発光層５が発光し、その発光成分が透光性フィルタ１１から多孔板７を透過して外部に漏れ出し、優美なイルミネーション効果が発現される。
【００３０】
又、光源１５の可視光成分も外部に漏れ出すが、これは半透明な不織布から成る透光性フィルタ１１の作用により拡散されるため、発光層５の発光と相俟って全体が均一に発光し体裁が損なわれず、防眩効果も上がる。
【００３１】
尚、スピーカユニット２の駆動に際して、その振動板４から放射される音波も遮断されることなく透光性フィルタ１１から多孔板７を透過して外部に放射されるので、音楽を聞きながら光による視覚的な演出を味わうことができる。
【００３２】
次に、図３は本発明に係るイルミネーション装置の変更例を示した斜視図である。図３において、３０はイルミネーション装置Ｂを構成する台座で、その上には電飾パネル３１が直立状態に設けられる。電飾パネル３１は、円形の開口部３２Ａを形成したパネル本体３２を支持体とし、その前面には多孔板３３が設けられる。本例において、多孔板３３はパネル本体３２の前面を覆うように張られた柔軟なネットである。
【００３３】
図４は係る電飾パネル３１の縦断面を示す。この図で明らかなように、多孔板３３の裏面にはパネル本体の開口部３２Ａに対応して透光性フィルタ３４が付設、貼付される。この透光性フィルタ３４も不織布で成り、これに対して上記多孔板３３は粗目とされる。
【００３４】
一方、パネル本体３２の背面側には背面板３５が取り付けられ、この背面板３５の前面にはパネル本体の開口部３２Ａに対応する位置で上記同様の発光層３６が形成される。そして、背面板３５と透光性フィルタ３４との間で開口部３２Ａ内には複数の光源３７が設けられ、その光源３７より発せられた光が開口部３２Ａの外周縁よりその中心部に向かって放射されるようにしてある。尚、係る光源３７も紫外線発光ダイオードであるが、これを上記例のように支持部材を介して開口部３２Ａの中心部に配置し、その光（紫外線）が中心から放射状に広がるようにしてもよい。又、係る光源３７を背面板３５に取り付けるようにしても構わない。
【００３５】
図５は背面板３５の前面側を示した正面概略図である。この図で明らかなように、発光層３６の形成領域内には図柄３８が施されている。本例において、係る図柄３８はハート形をあわらした輪郭線で、これは油性インクペンや蛍光塗料で色を変えて発光層３６上に描かれる。
【００３６】
そして、上記のようなイルミネーション装置Ｂでも、光源３７から放射される光（紫外線）により発光層３６の蛍光体／燐光体を励起して、該発光層３６を発光させることができる。尚、図柄３８の部分（ハート形の輪郭線）は、発光層３６上に浮かび上がった状態に視認される。ここに、図柄３８はハート形に限らず、文字、動植物その他のキャラクタを任意に選定することができ、これを上記の発光層５上に施すこともできる。
【００３７】
次に、図６により光源の発光制御について説明すると、４０はスピーカユニット２を駆動させるための駆動回路で、この駆動回路４０には増幅器４１を介してスピーカユニット２が導電接続される。
【００３８】
特に、増幅器４１には、光源１５，３７から放射される光（紫外線）の強度（光源の輝度）を変化させる調光手段としてＬＥＤドライバ４２が導電接続されると共に、そのＬＥＤドライバ４２を介して光源１５，３７が導電接続されている。係るＬＥＤドライバ４２は、増幅器４１からスピーカユニット２に与えられる入力信号（駆動電流）の大きさに基づき、これに同調して光源１５，３７に対する通電量を変化させるような電気回路を構成するもので、これによりスピーカユニット２から発生される音量に同調して光源１５，３７から発せられる光強度が変化されつつ、これを受けて発光する発光層５，３６の輝度が変化するようにしてある。これによれば、音楽のリズムに合わせて発光層５，３６の輝度が増減してイルミネーション効果が更に高められることとなる。
【００３９】
尚、図６には便宜上、２つのイルミネーション装置Ａ，Ｂに対応して２つのＬＥＤドライバ４２を示しているが、実際はイルミネーション装置Ａ，Ｂの双方で一つのＬＥＤドライバ４２が共用される。
【００４０】
以上、本発明について説明したが、係るイルミネーション装置は以上のような構成に限らず、例えばＬＥＤドライバ４２を独立させて、光源１５，３７をスピーカユニット２の駆動とは関係なく規則的に間欠駆動（点滅）させるなどしてもよい。又、イルミネーション装置Ａ，Ｂにおいて、発光層５，３６にトルマリンなどを固着してマイナスイオンが放射されるようにするのとは別に、マイナスイオン発生器を付設するようにしてもよく、これによれば装置の機能を更に向上することができる。
【００４１】
更に、イルミネーション装置Ａの変更例として、図７のようにスピーカユニットの振動板４に発光層５を形成するのでなく、該振動板４の前面側に発光層５を形成する背面板４３を配置し、その背面板４３が振動板４と光源１５との間に介在するようにしてもよい。但し、この場合には、振動板４からその前面側に放射される音波が遮断されぬよう、背面板４３を不織布などの通気性を有する部材により形成する。これによれば、振動板４に発光層５を形成することによる振動板４の振動特性に悪影響を及ぼすことなく、その振動による音波を背面板４３を通して外部に良好に放射せしめることができる。尚、図７において、その他の構成部分は上記例と同一であるので、変更なき部分には同一符号を付して説明を省略する。
【図面の簡単な説明】
【００４２】
【図１】本発明に係るイルミネーション装置の構成例を示す斜視分解図
【図２】同イルミネーション装置の要部断面図
【図３】本発明に係るイルミネーション装置の変更例を示す斜視図
【図４】図３に示した装置の要部断面部
【図５】背面板の前面側を示した正面概略図
【図６】光源の駆動制御方式を示すブロック図
【図７】振動板と光源との間に発光層を形成する背面板を配置した例を示す説明図
【符号の説明】
【００４３】
１  スピーカキャビネット
１Ａ  フロントパネル
２  スピーカユニット
４  振動板（背面板）
４Ａ  センタキャップ
５  発光層
７  多孔板
１１  透光性フィルタ
１３  ランプユニット
１５  光源
３１  電飾パネル
３２  パネル本体
３３  多孔板
３４  透光性フィルタ
３５  背面板
３６  発光層
３７  光源
３８  図柄
４２  ＬＥＤドライバ（調光手段）
４３  背面板
【図１】
2008141446.tif 000003
【図２】
2008141446.tif 000004
【図３】
2008141446.tif 000005
【図４】
2008141446.tif 000006
【図５】
2008141446.tif 000007
【図６】
2008141446.tif 000008
【図７】
2008141446.tif 000009